(57)【要約】  二つの構造部品、特にビルディングＡと突出外部部品Ｂとの間の断熱目的の構造要素は、それら二つの構造部品間に配置される断熱体１６、及び少なくとも圧力付与要素１９ａ，１９ｂの形態の補強要素から構成され、圧力付与要素は、設置状態での構造要素において、実質的に水平方向へ及び断熱体の実質的に水平方向の長手範囲に対して横方向へ断熱体を通り、二つの構造部品の各々に対して少なくとも間接的に接続され得、そこでは、圧力付与要素は、一つ以上の部品で形成され且つ少なくとも一つの圧力付与桟１９ａ，１９と二つの構造部品の一方へ向けられる端側部２２ａ，２２ｂ，２２ｃ，２２ｄの少なくとも一つ以上に別個の圧縮力分配要素２０ａ，２０ｂを有し、そこでは、圧縮力分配要素２０ａ，２０ｂは、２．０Ｗ／ｍＫ未満の熱伝導率λを有する材料から製造される。
2014527129.tif 000002
【特許請求の範囲】
【請求項１】
二つの構造部品間、特にビルディング（Ａ）と突出外部部品（Ｂ）との間の断熱構造要素であり、前記二つの構造部品間に配置される断熱体（１６）と、少なくとも一つの荷重支持要素（１９ａ，１９ｂ）の形態の補強要素とを備え、前記荷重支持要素は、設置された状態の構造要素（１０）では、実質的に水平方向へ且つこの断熱体の実質的に水平方向の長手範囲を横切るように前記断熱体を通っており且つ少なくとも間接的に前記二つの構造部品の各々へ接続され得、前記荷重支持要素（１２，３２，５８，６８，７８，８８）は、多部品設計のものであり、且つ前記二つの構造部品に向かい合う前記荷重支持要素の端側部（２２ａ，２２ｂ，２２ｃ，２２ｄ，９３ａ，９３ｂ）の少なくとも一つに荷重支持ウエブ（１９ａ，１９ｂ，３９ａ，３９ｂ，５９，６９，７９ａ，７９ｂ，８９）と別個の圧縮力分配要素（２０ａ，２０ｂ，３０ａ，３０ｂ，６０ａ，６０ｂ，７０ａ，７０ｂ，８０ａ，８０ｂ，９０ａ，９０ｂ）を有する断熱構造要素であって、
前記圧縮力分配要素（２０ａ，２０ｂ，３０ａ，３０ｂ，６０ａ，６０ｂ，７０ａ，７０ｂ，８０ａ，８０ｂ，９０ａ，９０ｂ）は、２．０Ｗ／ｍＫ未満の熱伝導性λを有する材料から製造されることを特徴とする断熱用構造要素。
【請求項２】
前記圧縮力分配要素（２０ａ，２０ｂ，３０ａ，３０ｂ，６０ａ，６０ｂ，７０ａ，７０ｂ，８０ａ，８０ｂ，９０ａ，９０ｂ）の材料は、１．６Ｗ／ｍＫ未満、特に１．０Ｗ／ｍＫ未満の熱伝導率λを有することを特徴とする少なくとも請求項１に記載の断熱用構造要素。
【請求項３】
前記荷重支持要素が位置固定要素（１ａ，１ｂ，１１ａ，１１ｂ，３１ａ，３１ｂ）を有すること及び前記圧縮力分配要素（２０ａ，２０ｂ，３０ａ，３０ｂ）が前記位置固定要素を介して前記荷重支持ウエブ（１９ａ，１９ｂ，３９ａ，３９ｂ）上に位置され得ることを特徴とする少なくとも請求項１に記載の断熱用構造要素。
【請求項４】
前記圧縮力分配要素（２０ａ，２０ｂ，３０ａ，３０ｂ，６０ａ，６０ｂ，７０ａ，７０ｂ，８０ａ，８０ｂ，９０ａ，９０ｂ）及び／又は前記荷重支持ウエブ（１９ａ，１９ｂ，３９ａ，３９ｂ，５９，６９，７９ａ，７９ｂ，８９）が、硬化性及び／又は固化可能充填物質から、特に高強度又は超高強度コンクリート等のコンクリートのようなセメント含有繊維強化ビルディング材料、又は高強度又は超高強度モルタル又は反応性樹脂の合成樹脂混合物から形成されることを特徴とする少なくとも請求項１に記載の構造要素。
【請求項５】
前記位置固定要素が前記荷重支持ウエブ（１９ａ，１９ｂ，３９ａ，３９ｂ）と前記圧縮力分配要素（２０ａ，２０ｂ，３０ａ，３０ｂ）との間に滑り層（４ａ，４ｂ，４ｃ，４ｄ，１１ａ，１１ｂ，４２ａ，４２ｂ，４２ｃ，４２ｄ）を形成することを特徴とする少なくとも請求項３に記載の構造要素。
【請求項６】
前記位置固定要素（１ａ，１ｂ，１１ａ，１１ｂ）が少なくとも部分的に型（１３，１３）で構成されること及び前記荷重支持ウエブ（１９ａ，１９ｂ）及び／又は前記圧縮力分配要素（２０ａ，２０ｂ，３０ａ，３０ｂ）を製造するための充填物質が前記型に導入され得ることを特徴とする少なくとも請求項３又は請求項４に記載の構造要素。
【請求項７】
前記荷重支持ウエブ（１９ａ，１９ｂ，３９ａ，３９ｂ）と前記圧縮力分配要素（２０ａ，２０ｂ，３０ａ，３０ｂ）が、前記位置固定要素（１１ａ，１１ｂ，３１ａ，３１ｂ）を介して互いに関節的に接続されることを特徴とする少なくとも請求項３に記載の構造要素。
【請求項８】
前記荷重支持ウエブ（１９ａ，１９ｂ，８９）が、その端側部（２２ａ，２２ｂ，２２ｃ，２２ｄ，９３ａ，９３ｂ）に、前記構造部品（Ａ，Ｂ）に向かい合い且つ垂直断面で及び／又は水平断面で凹状に又は凸状に湾曲された接触プロファイルを有すること及び前記圧縮力分配要素（２０ａ，２０ｂ，９０ａ，９０ｂ）が、垂直断面で及び／又は水平断面で前記接触プロファイルに形状が向かい合って適合する凸状に又は凹状に湾曲された力導入面（２３ａ，２３ｂ，２３ｃ，２３ｄ，９２ａ，９２ｂ）を有することを特徴とする少なくとも請求項１に記載の構造要素。
【請求項９】
前記圧縮力分配要素（２０ａ，２０ｂ，９０ａ，９０ｂ）が、少なくとも前記荷重支持ウエブ（１９ａ，１９ｂ，８９）から離れる方に向く端面で接触構造部品（Ａ，Ｂ）内に突出し、且つ特に前記離れる方に向く端面に特にプロファイリング（９１）又は粗面化することによって増加された摩擦係数を有する表面を有することを特徴とする少なくとも請求項１に記載の構造要素。
【請求項１０】
前記圧縮力分配要素（２０ａ，２０ｂ，６０ａ，６０ｂ）が、接触構造部品（Ａ，Ｂ）の方向へ前記断熱体（１６，５６）に関して少なくとも部分的に、好ましくは大部分が又は完全に突出し、従って、少なくとも部分的に、好ましくは大部分が又は完全に前記接触構造部品（Ａ，Ｂ）内に突出するのに適することを特徴とする少なくとも請求項１に記載の構造要素。
【請求項１１】
前記荷重支持ウエブ（１９ａ，１９ｂ，５９）が、前記ウエブの端側部（２２ａ，２２ｂ，２２ｃ，２２ｄ）の近くで前記断熱体側面（２１ａ，２１ｂ）と少なくとも略面一に終端することを特徴とする少なくとも請求項１に記載の構造要素。
【請求項１２】
前記位置固定要素（１１ａ，１１ｂ，３１ａ，３１ｂ）がプラスチックで、特にＨＤポリエチレンで形成されることを特徴とする少なくとも請求項３に記載の断熱用構造要素。
【請求項１３】
荷重支持ウエブ（１９ａ，１９ｂ）の前記二つの互いに反対側の端側部（２２ａ，２２ｂ，２２ｃ，２２ｄ）に適合する前記位置固定要素（１１ａ，１１ｂ）が特に接続要素（１８）を介して互いに接続されることを特徴とする少なくとも請求項１に記載の構造要素。
【請求項１４】
二つの水平方向に接触する荷重支持ウエブ（１９ａ，１９ｂ）が共通の圧縮力分配要素（２０ａ，２０ｂ）及び／又は位置固定要素（１１ａ，１１ｂ）を有することを特徴とする少なくとも請求項３に記載の構造要素。
【発明の詳細な説明】
【技術分野】
【０００１】
本発明は、請求項１の序文に従う断熱用構造要素に関する。
【背景技術】
【０００２】
従来の技術は、荷重支持要素と接触構造部品との間の可能な限り大きな表面積に亘る圧縮力の伝達を確保する別個の圧縮力分配要素を有する断熱用構造要素の種々の実施形態を既に開示している。従って、そのような断熱用構造要素の初期には、荷重支持要素は、断熱体平面を貫通する荷重支持バーとこの荷重支持バーの端側部へ溶接される荷重支持プレートを備えていたことは、例えば、独国特許出願公開第４１０３２７８号明細書（特許文献１）により開示されている。
【０００３】
しかしながら、例えば、独国特許出願公開第４００９９８７号明細書（特許文献２）に記述されているように、荷重支持ウエブと圧縮力分配要素とが、互いに対して移動可能であるように配置される設計も提案されており、そこでは、荷重支持ウエブは、端側部でスリーブ状圧縮力分配要素が接触する金属バーで形成され、荷重支持ウエブと二つの圧縮力分配要素は、少なくとも取付け目的の相互位置固定部が除去された後、関節的に互いに接続される。この位置固定部は、スリーブ状圧縮力分配要素における対応する開口内へ延出し且つリベットの形状でその中に固定される荷重支持ウエブの端部突起を備える。これによって、これら三つの要素、即ち、荷重支持ウエブ及び端部圧縮力分配要素は予め決定された又はそれらに対して意図された位置を接触構造要素の取付け後まで及びこれらのリベット状突起の横方向せん断移動に繋がる最初の実際の荷重がかかる状況まで維持される。しかしながら、そのせん断が荷重支持要素の端部表面と面一には決して起り得ないことと荷重支持ウエブが圧縮力分配要素に重みがかかる領域に位置固定突起のための開口が正確に設けられる、即ち、最適な移動と力導入表面が同様にそこでは利用できないことが不利である。その結果、独国特許出願公開第４００９９８７号明細書（特許文献２）から既知のこの実施形態において、圧縮力分配要素は、圧縮力を大きな面積に亘って明確に伝達することができ、且つ断熱に関して対応して最適化され且つ可能な限り最小の横断面を有する荷重支持ウエブへそれらの圧縮力を導入でき、また、圧縮力分配要素と荷重支持ウエブは、圧縮力伝達機能に損傷を与えることなく、関節的接続の結果として実質的に横方向力の無い方法で相対移動に関与できる。しかしながら、圧縮力伝達は、分配された又はあまり最適化されていない相互に向かい合う支持面の結果、改良が必要である。
【０００４】
従来の技術において、独国特許出願公開第１９６２７３４２号明細書（特許文献３）は、圧縮力分配要素を有する荷重支持要素の更なる実施形態を開示しており、そこでは、その圧縮力分配要素は、蟻継ぎ状ポジティブ接続を介して関連する荷重支持ウエブへ接続され且つ実質的横方向力のない方法で水平方向へ動作する相対移動に従うことができ、また同時に圧縮力伝達機能を維持する板形状構造部品を備える。圧縮力分配要素と荷重支持ウエブとの間のポジティブ接続の上述の蟻継ぎ状構成は、一方では、設置され且つ搬送された状態において良好な位置固定を保証するが、圧縮力分配要素と荷重支持ウエブとの間の多数の大きな面積支持領域のために、特に、荷重支持要素と関連する構造部品との間の正確な水平方向の相対移動が生じないが、例えば、僅かな傾斜や傾動がある場合、その蟻継ぎ状構成は、即座に制約となる。ここで生じる制約は、相互支持領域における荷重支持ウエブや圧縮力分配要素の破壊に至る横方向力に繋がる。
【０００５】
その一方では更に、追加の圧縮力分配要素を用いた既知の解決策は、一般的タイプの断熱用構造要素によって圧縮力伝達を最適化することに成功したが、接触する構造部品間において温度によって引き起こされる相対移動を防止しない又はほんのわずかに防止するに過ぎない。しかしながら、圧縮力伝達の目標とする最適化と移動性の同時維持の全てに対して、過去、断熱に関する更なる最適化は、幾分焦点からずれていた。これは、始めから、断熱用構造要素の分野における開発が主な理由であったためである。これに関して、従来の技術の横断面が減少された荷重支持ウエブは、より良好な断熱が荷重支持ウエブの領域において可能な限り小さい断面積に関連するとの発見に強固に基づいていた。換言すれば、所与の荷重支持ウエブ材料における断面が小さい程、熱伝達、即ち、荷重支持ウエブによって伝達される熱が小さくなる。
【０００６】
それにもかかわらず、必要な圧縮力伝達を維持するために、端部でのある程度の力導入表面が必要とされる。このため、従来の技術は、荷重支持要素を開示しており、そこでは、中央領域における断面積が減少された荷重支持ウエブが、より大きな断面を有する端部に設けられている、これは、欧州特許出願公開第１２５５２８３号明細書（特許文献４）を参照のこと。
【先行技術文献】
【特許文献】
【０００７】
【特許文献１】独国特許出願公開第４１０３２７８号明細書
【特許文献２】独国特許出願公開第４００９９８７号明細書
【特許文献３】独国特許出願公開第１９６２７３４２号明細書
【特許文献４】欧州特許出願公開第１２５５２８３号明細書
【発明の概要】
【発明が解決しようとする課題】
【０００８】
これを出発点として、本発明は、一方では圧縮力伝達及び他方では断熱に関して最適化し、荷重支持要素の領域において相対移動の吸収を維持する、初めに述べたタイプの構造要素を利用可能とするとの目的に基づく。
【課題を解決するための手段】
【０００９】
この目的は、請求項１の特徴を有する断熱用構造要素によって本発明に従い達成される。
【００１０】
本発明の有利な展開は、いずれの場合にも、文章の不必要な繰り返しを避けるために、表現が明細書中の表現参照によってここに組み込まれる従属の請求項の主題である。
【００１１】
本発明に従って、圧縮力分配要素は、２．０Ｗ／ｍＫ未満の熱伝導率λを有する材料から製造され、結果、圧縮力分配要素は、通常使用される強化コンクリートの熱伝導率よりも低い、即ち、より良好な熱伝導率を有する。この要求は、同時にかなり向上された断熱特性を有する、荷重支持要素のための圧縮力導入領域は、接触構造部品の上流に接続され、それは、強化コンクリート、特に、ＤＩＮ１０４５−１に従う強度クラスＣ２０／２５以上のコンクリートから通常形成されるとの発見に基づく。換言すれば、本発明に従う荷重支持要素は、圧縮力分配要素の形態で接触構造部品のための圧縮力導入領域を提供する、即ち、最適な特性を有する専用領域で接触構造部品の対応する領域を置き換える。従って、これが圧縮力導入の向上に繋がるのみならず断熱特性の向上にも繋がるために、圧縮力分配要素は、２．０Ｗ／ｍＫ未満の熱伝導率λを有するよう本発明に従って設計される。
【００１２】
圧縮力分配要素の材料が１．６Ｗ／ｍＫ未満、特に１．０Ｗ／ｍＫ未満の熱伝導率λを有する場合、特に好ましい。これに関して、従来の技術は、鋼、特にステンレス鋼の従来の荷重支持要素の代わりに、断熱を最適化するための高強度又は超高強度コンクリートであってより良好な圧縮荷重支持能力を有する、従って要求された圧縮力分配のための低断面を必要とするのみならず、鋼よりも低い熱導電率を有するコンクリートを使用することを既に開示している。高強度や超高強度コンクリートやモルタルが荷重支持ウエブの材料としてのみならず圧縮力分配要素の材料に使用される場合、荷重支持能力が接触構造部品への圧縮力導入の向上により向上されるのみならず、同時に力導入領域における断熱性も向上される。
【００１３】
力支持要素が位置固定要素を有し且つ圧縮力分配要素が位置固定要素を介して荷重支持ウエブ上に位置され得るならば、断熱用構造要素を備える、取付けるために特に有利である。結果、別個の圧縮力分配要素によって既に始まっている機能上の分離を操作し続け、追加の位置固定要素を提供することは特に有利な方法で可能であるため、荷重支持ウエブも圧縮力分配要素自体も位置固定を確保する必要はなく、これは別個の構造部品を介して行われる。
【００１４】
従って、荷重支持ウエブと圧縮力分配要素は、意図されている圧縮力分配機能に関して更に最適化され得る。例えば、荷重支持要素は、可能な限り最小の断面を有することができ、それは構造部品のギャップやそのギャップ内に配置される断熱体を介する加熱や冷却の伝達の対応した減少につながる。しかしながら、同時に圧縮力伝達を向上するために、荷重支持ウエブは、それ自体、端部に大きな圧縮力分配面積を有する必要はないが、それは、対応して大きな面積を有するよう設計可能な別個の圧縮力分配要素の使用によって確保できる。圧縮力伝達が、最適な方法で荷重支持ウエブと別個の圧縮力分配要素との間で行われるために、本発明に従って設けられた位置固定要素により、両構造部品が意図された相互の配向と位置に設置され、この位置固定要素が圧縮力分配要素と荷重支持ウエブとの間の望ましい相対的移動性を提供する。
【００１５】
従って、圧縮力分配要素は、その都度、荷重支持ウエブ上の端側部の領域において位置固定要素によって固定され得、実際の固定は圧縮力伝達領域外、即ち、特に端側部の外側で好都合な方法で行われるので有利である。
【００１６】
位置固定要素が型より構成され、圧縮力分配要素及び／又は荷重支持ウエブが、その型内に導入可能な硬化性及び／固化可能充填物質から、特に高強度又は超高強度コンクリート等のコンクリートのようなセメント含有繊維強化ビルディング材料、又は超高強度モルタル又は反応樹脂の合成樹脂混合物から形成されると、特に有利な結果となる。それによって、位置固定要素と一方では圧縮力分配要素及び／又は位置固定要素と他方では荷重支持ウエブが、互いに正確に嵌り合うよう確実に配置される。次に、好適な例示の実施形態において、型が、圧縮力分配要素及び／又は荷重支持ウエブと共に設置されるならば、位置固定要素は、消失（ロスト）性型を形成し、圧縮力分配要素及び／又は荷重支持ウエブの位置固定要素に対する最適な支持が設置後も維持され、型は圧縮力分配要素及び／又は荷重支持ウエブの表面に最適に適合する公差の無い表面を利用可能とする。
【００１７】
位置固定要素が圧縮荷重支持ウエブと圧縮力分配要素との間の滑り層を形成することから更なる利点が得られる；このように、いずれにしても位置固定要素が既に存在しているならば、本発明に従う方法において、その位置固定要素は、いずれにしても、移動可能に取り付けられた荷重支持要素にしばしば存在する滑り層の機能を担うことができるだろう。通常の用途において、滑り層も、そこでは、位置的に固定される方法で、荷重支持要素上に固定されなければならないので、これが、本発明において、本発明に従う位置固定要素によって行われ得るならば特に有利であり、従って、滑り層自体が位置固定要素から構成される。この明細書において滑り層は、荷重支持ウエブ上のコーティング及び／又は圧縮力分配要素の薄い層状の適用として理解されるべきではなく、位置固定要素から及び特に上述の型から本発明に従って形成され得る物理的層として理解されるべきである。本ケースにおいて、滑り層は、通常、１ミリメートルの１０分の数ミリ、好ましくは０．５ミリメートル以上の層厚みを有する。
【００１８】
本ケースにおいて、位置固定要素が、例えば欧州特許出願公開第１２２５２８２号明細書から既知のように、荷重支持要素用型で構成されるならば、ここでは、型が位置固定要素の更なる機能を満足しなければならず、このために、それが別個の圧縮力分配要素へ接続されなければならないことのみが本発明の範囲に含まれる。
【００１９】
荷重支持ウエブと圧縮力分配要素の両方が一つ及び同じ型から製造可能であり、通常は好都合である。しかしながら、同様に、勿論、例えば、それら二つの要素の一方のみをその型で製造し、他の要素を事前製造することもできる。
【００２０】
既に述べたように、荷重支持ウエブと圧縮力分配要素は、位置固定要素の介在で関節的に互いに接続され得、その場合、次に、位置固定要素は、荷重支持ウエブと圧縮力分配要素との間の揺動移動又は旋回移動のための滑り層を形成することができる。
【００２１】
これに関連して、荷重支持ウエブがその端側部に構造部品に向かい合い且つ垂直断面において及び／又は水平断面において凹状に又は凸状に湾曲される接触プロファイルを有すること、及び圧縮力分配要素が垂直断面において及び／又は水平断面においてこの接触プロファイルに形状が適合する凸状又は凸状に湾曲される力導入面を反対側に有することが推奨され、それによって、荷重支持ウエブと圧縮力分配要素は、湾曲表面に沿って互いに平らに重みがかかる。この湾曲が円弧形状であれば、それによって、円弧形状に湾曲された表面に沿って圧縮力分配要素に対して荷重支持ウエブの関節運動が可能とされる。
【００２２】
圧縮力分配要素が接触構造部品に完全に又は少なくとも大部分が配置されることが特に推奨され、次に、荷重支持ウエブが断熱体の領域に制限され得、圧縮力分配要素がポジティブ又は粘着接続によって接触構造部品と共に移動することができ、結果、相対移動が断熱体のエッジ領域、即ち、断熱体と構造部品との間の分離表面において行われることが好ましい。このために、荷重支持ウエブが断熱体側面と少なくとも略面一の接触構造部品に向かい合うその端面で終端することが推奨される。
【００２３】
これに代わるものとして、勿論、圧縮力分配要素は、構造部品ギャップの領域に、即ち、断熱体領域に配置され得、それにもかかわらず、この実施形態において、接触構造部品間の相対移動が圧縮力分配要素から荷重支持ウエブと圧縮力分配要素との間の支持領域へ伝達される。これにより、その相対移動が、位置固定要素によって形成される、移動性と嵌め合わせ精度に関して最適化される滑り層領域において発生するように、圧縮力分配要素を接触構造部品へ固定的に接続することが有利である。
【００２４】
これに関して位置固定要素が、対応して最適な表面／滑り特性との最適な強度値を有するプラスチック、特にＨＤポリエチレンで作られることが推奨される。
【００２５】
更に、荷重支持ウエブの二つの反対側の端側部へ割り当てられる位置固定要素が、例えば、接続要素を介して互いに接続され、結果、荷重支持ウエブ、各々が端部で接続される圧縮力分配要素及び接続要素を有する関連する位置固定要素より構成されるユニットが利用可能となり、且つこのユニットが、そのために設けられる断熱体領域内に接合するよう挿入されることは本発明の範囲に含まれる。しかしながら、この代わりに、勿論、例えば、位置固定要素が型で構成され、各要素が断熱体内に位置固定要素が挿入された状態においてのみ製造される場合、断熱体内に個々の部品を連続して配置することもできる。最後に、本発明によって、互いに水平方向へ隣接する、特に互いに隣り合って配置される二つの荷重支持ウエブの共通の位置固定要素を提供することも可能であり、共通の位置固定要素又は他の前記二つの隣接する荷重支持ウエブに対する共通の圧縮力分配要素による各荷重支持ウエブは別個の圧縮力分配要素を利用することができる。
【００２６】
本発明の更なる特徴と利点は、図面を参照した例示の実施形態の以下の記述から明らかになる。
【図面の簡単な説明】
【００２７】
【図１ａ】本発明に従う断熱用構造要素の位置固定要素を示す図１ｂの平面Ｂ−Ｂに沿った水平断面図である。
【図１ｂ】本発明に従う断熱用構造要素の位置固定要素を示す垂直断面図である。
【図１ｃ】本発明に従う断熱用構造要素の位置固定要素を示す図１ｂの平面Ａ−Ａに沿った水平断面図である。
【図１ｄ】本発明に従う断熱用構造要素の位置固定要素を示す斜視平面図である。
【図１ｅ】本発明に従う断熱用構造要素の位置固定要素を示す図１ｂの平面Ａ−Ａに沿った断面の斜視平面図である。
【図２】端部で接続された荷重支持ウエブと圧縮力分配要素と位置固定要素を備える、側面図で本発明に従う断熱用構造要素の荷重支持要素の側面図である。
【図３】荷重支持ウエブ、位置固定要素及び圧縮力分配要素を備える図２の荷重支持要素の平面図である。
【図４】本発明に従う断熱用構造要素の荷重支持要素の他の実施形態を平面図で示す。
【図５】本発明に従う断熱用構造要素の実施形態を側面図で示す。
【図６】本発明に従う断熱用構造要素の荷重支持要素の種々の実施形態を斜視側面図で示す。
【図７】本発明に従う断熱用構造要素の荷重支持要素の種々の実施形態を斜視側面図で示す。
【図８】本発明に従う断熱用構造要素の荷重支持要素の種々の実施形態を斜視側面図で示す。
【図９】図８の荷重支持要素の断面側面図である。
【発明を実施するための形態】
【００２８】
図２と図３は、直方体形状の断熱体１６とこの断熱体を水平方向及びその長手範囲に対して垂直に通る荷重支持ウエブ１９ａ，１９ｂを有する本発明に従う構造要素１０の下部サブ領域を描いており、図２と図３に破線で描かれている荷重支持ウエブ１９ａ，１９ｂは、水平方向に互いに隣接すると共に平行に配置され、接触構造部品Ａ、例えば床のスラブから反対側の接触構造部品Ｂ、例えば、バルコニースラブへ延出し、相互の圧縮力伝達のために、円弧形状に湾曲した端側部２２ａ，２２ｂ，２２ｃ，２２ｄが構造部品Ａ，Ｂの平面内に断熱体平面に関して僅かに突出する。
【００２９】
さて、本発明に従って、いずれの場合も、圧縮力分配要素２０ａ，２０ｂは、荷重支持要素１９ａ，１９ｂの端側部の領域における構造部品Ａ，Ｂの領域に設けられ、その圧縮力分配要素は、荷重支持要素１９ａ，１９ｂと接触構造部品Ａ，Ｂとの間に圧縮力を導入する又はそれを除去する。図示の例示の実施形態において、二つの荷重支持ウエブ１９ａ，１９ｂ及び二つの圧縮力分配要素２０ａ，２０ｂは、一緒に荷重支持要素１２を形成する。なお、完全を期すために、これに関して、荷重支持要素が一つのみの荷重支持ウエブとこの荷重支持ウエブの端部に各々が接続された合計二つの圧縮力分配要素とを有することは本発明の範囲に含まれる。
【００３０】
圧縮力分配要素２０ａ，２０ｂは、構造部品Ａ，Ｂの側面と実質的に面一で終端し、従って、設置状態において、断熱体１６の側面２１ａ，２１ｂに沿って通っている。荷重支持要素の領域にのみにおいて、これらの圧縮力分配要素２０ａ，２０ｂが、この面一の範囲から幾分湾曲し、そこで円弧形状に湾曲された荷重支持要素１９ａ，１９ｂの端側部２２ａ，２２ｂ，２２ｃ，２２ｄに適合し、端側部２２ａ，２２ｂ，２２ｃ，２２ｄに適合される相補的円弧形状湾曲部２３ａ乃至２３ｄを有する。
【００３１】
図３の平面図に特にみられるように、荷重支持要素は、それらの円弧形状凸状端側部で圧縮力分配要素の上述の湾曲部に重みをかけ、圧縮力分配要素と関節的接続を形成し、その接続を介して、構造部品ＡとＢが水平方向へ互いに平行に変位し、これによって、荷重支持要素１９ａ，１９ｂは僅かな傾動によって実質的に横方向力の無いように変位移動に従う。
【００３２】
このように、圧縮力分配要素が２．０Ｗ／ｍＫ未満の熱伝導率λを有する材料で構成されることは本発明にとって必須である。図面に描かれた例示の実施形態において、高強度コンクリートから形成され、したがって、熱伝導率が僅か０．８Ｗ／ｍＫの圧縮力分配要素が示されている。対照的に、これに接触するコンクリート構造部品Ａ，Ｂの現場のコンクリートは、約２．１Ｗ／ｍＫの熱伝導率λを有する。これから、本発明に従う圧縮力分配要素が接触構造部品用断熱層を構成すること、さらに、これにより、荷重支持ウエブの領域においてかなり減少した熱伝導率を維持する（本例示の実施形態において、荷重支持ウエブは、また僅か０．８Ｗ／ｍＫの熱伝導率を有する高強度コンクリートから形成される）ことが直ちに且つ容易に理解される。
【００３３】
また、位置固定要素１１ａ，１１ｂが荷重支持要素１９ａ，１９ｂと圧縮力分配要素２０ａ，２０ｂとの間に配置され、その位置固定要素が荷重支持ウエブ１９ａ，１９ｂと圧縮力分配要素２０ａ，２０ｂを相互に位置決めすることが本発明にとって必須であり、好ましくはそれらを固定する。図示の例示の実施形態において、これらの位置固定要素１１ａ，１１ｂは、荷重支持ウエブ１９ａ，１９ｂ用及び圧縮力分配要素２０ａ，２０ｂ用の型で構成され、以下で詳細に記述される図１の位置固定要素１ａ，１ｂに対応する。
【００３４】
図２と図３の例示の実施形態において、位置固定要素は、荷重支持要素１９ａ，１９ｂと圧縮力分配要素２０ａ，２０ｂとの間に滑り層を形成し、その層によって、荷重支持ウエブと圧縮力分配要素の相互支持領域における静止摩擦が大きく減少され、結果、滑り旋回運動が大きな接着効果とそれによって引き起こされる横方向力を生じることなく可能となる。
【００３５】
図２と図３において、圧縮力分配要素用型として機能する位置固定要素１１ａ，１１ｂは、圧縮力分配要素２０ａ，２０ｂのアウトラインとしてのみ見られ、これらは、全体として、滑り層１４ａ，１４ｂ，１４ｃ，１４ｄとして働く円弧形状湾曲部を有する略直方体状外側輪郭を有し、それらの湾曲部に対して、一方では、荷重支持要素１９ａ，１９ｂの対応する端側部２２ａ乃至２２ｄ、及び圧縮力分配要素２０ａ，２０ｂの反対側の湾曲部、即ち、そこの表面２３ａ乃至２３ｄを支持する。
【００３６】
図１は、本発明に従う断熱用構造要素の一部品、即ち、圧縮力分配要素（図１に図示されず）用のコンクリート、特に高強度又は超高強度コンクリートを充填可能なキャビティ２ａ，２ｂを有する及び荷重支持ウエブ（図１には図示されず）用のコンクリート、特に高強度又は超高強度コンクリートを充填可能なキャビティ７ａ，７ｂを有する型１３で構成される位置固定要素１ａ，１ｂが描かれている。
【００３７】
型１３は、位置固定要素のキャビティ２ａ，２ｂ，７ａ，７ｂのみならず二つの荷重支持要素（図１には図示されず）の型部品として機能する、より正確には、それら二つの荷重支持要素の端側部のための湾曲された表面３ａ，３ｂ，３ｃ，３ｄを有する。この湾曲された表面領域３ａ乃至３ｄにおいて、位置固定要素１ａ，１ｂは、力を伝達するためと一方では圧縮力分配要素と他方では荷重支持ウエブの個々の端側部との間の領域を支持するための滑り層４ａ，４ｂ，４ｃ，４ｄを形成する。圧縮力分配要素に割り当てられる荷重支持ウエブに向かい合う表面３ａ乃至３ｄ上と反対側表面５ａ乃至５ｄ上のこれらの滑り層４ａ乃至４ｄが湾曲円弧形状であるため、荷重支持ウエブと関連する圧縮力分配要素は、関節的態様で互いの重みを支え且つ円弧形状に沿って互いに相対移動可能であり、圧縮力が、更に荷重支持ウエブと圧縮力分配要素との間の滑り層を介して横方向力の無いように伝達され得る。
【００３８】
また、図１は、特に下側において荷重支持ウエブ（図１には図示せず）を支持し、同様に対応する凹所７ａ，７ｂによって部分的に荷重支持ウエブ用の型として機能し得る断熱体サブ領域６を描いており、凹所７ａ，７ｂは、荷重支持ウエブ用の形状に対応している。断熱体サブ領域６の上方に延出する荷重支持ウエブの領域用型は、同様に図１に示されている。図中、二つの位置固定要素１ａ，１ｂを互いに接続する接続要素は示されていない。この接続要素は、例えば、バーの形態で水平方向へ一方の位置固定要素１ａから他方の位置固定要素１ｂへ向かって断熱体６を貫通して延出することができる。結果、端部型表面３ａ乃至３ｄ間の距離、従って関連する荷重支持ウエブの長さは、事前に決定され、それは、断熱体６の幅に略対応している。
【００３９】
図３中、二つの位置固定要素１１ａ，１１ｂ間に配置される接続ウエブ１８が図１には示されていない接続ウエブに対応しており、それによって、荷重支持ウエブ１９ａ，１９ｂは、製造中、輸送中及び設置中に荷重支持要素１１ａ，１１ｂ間に保持され、圧縮力分配要素２０ａ，２０ｂに関して所定の配向と位置に配置される。
【００４０】
図４は、更に、他の位置固定要素３１ａ，３１ｂと、二つの平行な荷重支持ウエブ３９ａ，３９ｂ及び二つの端部圧縮力分配要素３０ａ，３０ｂを有する荷重支持要素３２と、断熱体３６とを備える本発明に従う断熱用構造要素の一部を断面平面図で示す。他の位置固定要素３１ａ，３１ｂは、ここでは同様に圧縮力分配要素３０ａ，３０ｂ用のキャビティ３４ａ，３４ｂを有する型３３ａ，３３ｂとして働くが、荷重支持ウエブ３９ａ，３９ｂのためには働かない。ここで、各位置固定要素は、多部品設計のものであり、断熱体外側３６に沿って延出する壁４１ａ，４１ｂ、端側部上の荷重支持ウエブ３９ａ，３９ｂに働く滑り層４２ａ，４２ｂ，４２ｃ，４２ｄ、及び水平断面においてＵ形状である追加のプロファイルボディ４３ａ，４３ｂを備える。最後に、キャビティは、ベース表面（図４には示されず）によって下側で境界づけられる。
【００４１】
対照的に、荷重支持ウエブは、型３３や位置固定要素３１ａ，３１ｂの関与なしで事前製造されるコンクリート要素から形成される。これらのウエブは、位置固定要素３１ａ，３１ｂによってそれらの端側部４２ａ，４２ｂ，４２ｃ，４２ｄに対して横方向にその領域内に囲まれ、圧縮力分配要素３０ａ，３０ｂに対して所定位置に固定される。
【００４２】
図５は、二つの構造部品ＡとＢの間に残るギャップに沿って水平方向へ延出する直方体形状断熱体５６を備え、且つテンションバー５２、横方向バー５３及び荷重支持要素５８の形態の補強要素を備える本発明に従う断熱用構造要素５１の側面図である。テンションバーと横方向力バーは、二つの構造部品ＡとＢの間のギャップの領域に、即ち、断熱体５６の及び断熱体外側の遠くの領域にある鉄筋コンクリート用鋼の領域に、即ち図５において二つの補強バーの異なるハッチングによって示されるように、構造部品ＡとＢの領域に、通常の方法で、鋼、即ちステンレス鋼から形成される。テンションバーと横方向力バーは、従来技術の一般的な方法で断熱用構造要素に対して配置される、即ち、テンションバーの場合、断熱体の長手範囲に対して垂直な水平方向における断熱体の上部領域、所謂テンションゾーンに、及び横方向力バーの場合、支持構造部品のテンションゾーンから出発して断熱体を介して下部荷重支持ゾーンへ向けて斜め下方へ傾斜し、そしてそこから断熱体の外側で再び、支持された構造部品のテンションゾーンへ垂直方向において上方へ向かう領域に配置される。
【００４３】
それに比べて、荷重支持要素５８は、既知の荷重支持要素と比較して異なるように設計される。これらの荷重支持要素５８は、水平方向へ且つ長手範囲に対して垂直に断熱体５６を貫通して延出する荷重支持ウエブ５９を備え、これらの荷重支持ウエブは、接触構造部品Ａ、例えば、床スラブから反対側の接触構造部品Ｂ、例えば、バルコニースラブへ向かって水平方向へ延出し、圧縮力分配要素６０ａ，６０ｂは、荷重支持ウエブ５９の端側部へ配置されている。構造部品Ｂに割り当てられる圧縮力分配要素６０ｂは、支持された構造部品Ｂの圧縮力を吸収しそれを荷重支持ウエブ５９へ導入する。他方、構造部品Ａに割り当てられる圧縮力分配要素６０ａは、荷重支持ウエブ５９からの圧縮力を構造部品Ａへ伝達し、それをそこに導入する。
【００４４】
圧縮力分配要素は、高強度又は超高強度コンクリートから形成され、本発明に従う熱伝導率を有する。図５の例示の実施形態において、荷重支持ウエブ５９は、また圧縮力分配要素６０ａ，６０ｂと同じ材料から形成される。
【００４５】
完全を期して、横方向力バー５３がそれ自体既知の方法でそれらの傾斜プロファイルに位置固定スリーブ５４を有し、それを介して、横方向力バー５３が断熱体５６及び／又は荷重支持ウエブ５９に固定され、それらの設置位置における意図しない変化、特に変位や回転を防止する。
【００４６】
図６、図７、図８及び図９は、多少、図５の荷重支持要素５８の実施形態に対応する又は似ている荷重支持要素６８，７８及び８８の他の実施形態を示す。矩形荷重支持ウエブ６９とその自由端に接続された圧縮力分配要素７０ａ，７０ｂを備える、図６に描かれた荷重支持要素６８は、図５の荷重支持要素５８の実施形態に対応し、圧縮力分配要素６０ａ，６０ｂ，７０ａ，７０ｂは、各々プレートの形状に設計される。ここで、プレートの厚みは、断熱性に影響を及ぼし、図５に見られるように、この領域において、構造部品Ａ，Ｂの材料、即ち、特に低い熱伝導性を有する現場のコンクリートが、圧縮力分配要素の断熱材料に置き換えられる。
【００４７】
図７は、荷重支持要素７８が共通端部圧縮力分配要素８０ａ，８０ｂと相互作用する二つの平行な荷重支持ウエブ７９ａと７９ｂを備える点のみ異なる図５の荷重支持要素５９に対応する荷重支持要素７８を示す。
【００４８】
図８は、荷重支持要素８８を描き、そこでは、同様に、矩形荷重支持ウエブ８９、即ち、正方形の垂直断面を有する筒状荷重支持ウエブがプレート状圧縮力分配要素９０ａ，９０ｂと相互作用する。荷重支持ウエブ８９がその終端の自由端９４ａ，９４ｂに断面拡大部を有し、それによって接触圧縮力分配要素９０ａ，９０ｂのためにより大きな接触プロファイル９３ａ，９３ｂを形成する点のみ荷重支持要素５８，６８と異なる。ここで、図９の断面図から、荷重支持ウエブ８９の凸状に湾曲した接触プロファイル９３ａ，９３ｂと圧縮力分配要素９０ａ，９０ｂの反対側に凹状に湾曲した力導入面との間の相互支持領域に円弧形状があり、この円弧形状は、これらの領域において間接的な可動支持及び圧縮力伝達を可能とすることが分かる。
【００４９】
更に、また、垂直断面により、各構造部品に向かい合う圧縮力分配要素の端側部でプロファイリング９１を見ることができ、それらのプロファイリングは、圧縮力分配要素と関連する構造部品との接続が向上する。これによって、そうでなければ考慮するべき最小コンクリートカバーリングを観察する必要がなく、圧縮力分配要素が略又は完全にその下エッジに到達するまで構造部品内を遠く下方へ延出することができるという最も重要な利点が得られる。結果、比較例に比べて引張鉄筋に関してより大きなレバーアームを有する、特に鋼製の荷重支持要素を有する断熱用構造要素内の荷重支持要素が遠く下方へ配置され得るとの利点が得られる。
【００５０】
要するに、本発明は、最適な圧縮力導入と伝達、同時に最適な又はかなり向上された断熱性を保証するさらに別の圧縮力分配要素を備える荷重支持要素を利用可能とする利点を提供し、これらの圧縮力分配要素が２．０Ｗ／ｍＫ未満、好ましくは、１．６Ｗ／ｍＫ未満、及び特に１．０Ｗ／ｍＫ未満の熱伝導性λを有する材料から製造される。
【図１ａ】
2014527129.tif 000003
【図１ｂ】
2014527129.tif 000004
【図１ｃ】
2014527129.tif 000005
【図１ｄ】
2014527129.tif 000006
【図１ｅ】
2014527129.tif 000007
【図２】
2014527129.tif 000008
【図３】
2014527129.tif 000009
【図４】
2014527129.tif 000010
【図５】
2014527129.tif 000011
【図６】
2014527129.tif 000012
【図７】
2014527129.tif 000013
【図８】
2014527129.tif 000014
【図９】
2014527129.tif 000015
【国際調査報告】
2014527129.tif 000016
2014527129.tif 000017
2014527129.tif 000018
2014527129.tif 000019
2014527129.tif 000020
2014527129.tif 000021